(57)【特許請求の範囲】
【請求項１】
水性ベースの洗浄溶液中で油で汚れた品物を洗濯しそして該洗浄溶液を処理する方法であって、
界面活性剤系および少なくとも２５ｐｐｍのアルミン酸アルカリ金属塩をアルカリ性ｐＨにて含む洗浄溶液中で該品物を洗濯し、
該洗浄溶液を該品物から分離し、
該洗浄溶液のｐＨを低減して水和酸化物Ａｌ（ＯＨ）3および該油を含有する水和酸化物フロックを生じさせ、そして
該水和酸化物フロックを該洗浄溶液から分離する
ことからなる上記方法。
【請求項２】
該アルカリ性ｐＨが少なくとも９である、請求の範囲第１項に記載の方法。
【請求項３】
該洗浄溶液が、カルボキシメチルセルロース、ポリアクリル酸およびポリメチルアクリル酸から形成される水溶性ポリマーから成る群から選択される再付着防止助剤を含む、請求の範囲第２項に記載の方法。
【請求項４】
該アルミン酸アルカリ金属塩が、アルミン酸ナトリウムおよびアルミン酸カリウムから成る群から選択される、請求の範囲第２項に記載の方法。
【請求項５】
該アルミン酸アルカリ金属塩が、１：１〜１０：１のＮａ2Ｏ／ＡｌＯ3のモル比を有するアルミン酸ナトリウムである、請求の範囲第４項に記載の方法。
【請求項６】
該ｐＨが約９より低く下げられた後該洗浄溶液に凝集剤を添加することを更に含む、請求の範囲第４項に記載の方法。
【請求項７】
分離用ポリマーを添加することを更に含む、請求の範囲第５項に記載の方法。
【請求項８】
該分離用ポリマーが、タニン、ポリジアリルジメチルアンモニウムクロライドおよびエピクロロヒドリンアミンから成る群から選択される、請求の範囲第７項に記載の方法。
【請求項９】
該洗浄溶液がＡｌ2Ｏ3として２５〜約４，０００ｐｐｍのアルミン酸アルカリ金属塩を含む、請求の範囲第４項に記載の方法。
【請求項１０】
該洗浄溶液が２５０〜１，１００ｐｐｍのアルミン酸アルカリ金属塩を含有する、請求の範囲第９項に記載の方法。
【請求項１１】
該洗浄溶液が非リン酸塩金属イオン封鎖剤を含む、請求の範囲第２項に記載の方法。
【請求項１２】
油で汚れた品物を洗濯しそして廃水を処理する方法であって、界面活性剤系を含むアルカリ性溶液中で該品物を洗濯し、それにより該品物中に含有されている油およびグリースを該洗浄溶液により懸濁せしめ、該洗浄溶液を該品物から分離し、そして少なくとも約２５ｐｐｍのアルミン酸アルカリ金属塩を該洗浄溶液に添加しそして該溶液のｐＨを約９未満に低減し、それにより水和酸化物Ａｌ（ＯＨ）3および該油を含有する水和酸化物フロックを溶液から出現せしめ、そして該水和酸化物フロックを該洗浄溶液から分離することからなる上記方法。
【発明の詳細な説明】
本発明の背景
商業的洗濯所は、レンタルの衣装、床マット、プリントまたはインキタオルおよびショップタオル（ｓｈｏｐ  ｔｏｗｅｌ）を含めて種々の異なる品物を処理する。多くの適用特にショップタオルを洗濯する適用では、多量の油または他の炭化水素廃棄物を生じる。洗剤組成物の目的は、洗濯される品物からこの油を他の泥および汚れと共に除去することである。このことは、最大の清浄効力を達成するために界面活性剤、アルカリ性薬剤並びに再付着防止剤および種々の金属イオン封鎖剤の組合わせを用いることにより成し遂げられる。界面活性剤は、特に、油汚れを洗浄水中に乳化および懸濁されたままにするよう機能する。一般に、洗浄水中に生じせしめられたエマルジョンが安定であればあるほど、洗剤系の清浄性能は一層良好である。
同時に、この油汚れを洗浄廃水から除去することをこの廃水の下水管への廃棄に先立って行うことが、しばしば必要である。かくして、洗浄水を廃棄する前に乳化洗浄溶液から油を分離するために、洗浄溶液の効果に対抗作用することが必要である。しかしながら、洗浄水中に生じせしめられたエマルジョンが安定であればあるほど、分離は一層困難におよび費用がかかるようになる。
このことを成し遂げるための試みは、これまでに多くあった。例えば、両性界面活性剤が用いられてきた。アルカリ性ｐＨにおいてこれらは油を乳化するための有効な界面活性剤であるが、しかし酸性ｐＨにおいてそれらの界面活性剤として機能する能力は低減される。このことは、有効に廃水の油およびグリース含有率を数百ｐｐｍに下げることを可能にする。しかし、このことは、最新の基準を満たすためには適切でない。この適用はまた、エマルジョンを不安定にするために必要とされる酸性ｐＨにおいて重金属汚染物を可溶化する潜在力を増大させる。
多くの洗濯所は、乳化された油およびグリースを除去するために洗浄過程に引き続いて洗浄溶液を処理する。このことは、界面活性剤の効果に対抗作用するために種々の水処理用化学薬品の添加および高価な水処理系の使用を必要とする。かかる化学薬品処理の場合でさえ、有効ないかなる後処理をも用いて、水の精製を最適化するよう洗浄溶液を計画しなければならない。
ＵＳ−Ａ−５２０７９２２は、洗濯所からの油を含んだ流出物が解乳化剤で処理されて油／水のエマルジョンを破壊した後該油が分離される系を記載する。
多くの会社は、界面活性剤系を変えて水溶性の劣る界面活性剤に頼ってきており、またはエマルジョンの安定性を最小にするために現実に界面活性剤の量を減らしてきた。これらの行為の正味の全体的効果は、洗剤の清浄効力の低減である。
ＵＳ−Ａ−３８６５７５４は、非イオン性洗剤系、アルミン酸ナトリウム、および洗浄溶液中の該アルミン酸ナトリウムおよび遊離多価イオンと反応する炭酸ナトリウムのような沈殿物形成剤からなる洗剤組成物を開示する。
本発明の要約
本発明の目的は、商業的洗濯所において油で汚れた品物を洗濯しそして引き続いてその廃水を処理して廃洗浄溶液中の油のほとんどを除去する方法を提供することである。本発明の更なる目的は、洗剤組成物の効力を低減することなくこれを成し遂げることである。
これらの目的は、界面活性剤、再付着防止剤および金属イオン封鎖剤を含めて１種またはそれ以上の洗濯洗剤成分と共にアルミナとして測定して有効量のアルミン酸ナトリウム塩を含む洗浄溶液中で品物を洗濯することにより達成される。アルミン酸塩は、洗浄溶液におけるアルカリ性度の供給源である。好ましくは、アルミン酸塩は、洗浄溶液のｐＨを９より高く確立するのに十分な量にて添加される。次いで、使用後の洗浄溶液は集められそしてそのｐＨは９より低く低減され、それによりエマルジョンのコロイドがＡｌ（ＯＨ）3沈殿物形態として捕捉されるようになって油汚れが該溶液から分離される。
該分離は、ポリジメチルジアリルアンモニウムクロライドのような普通の有機高分子電解質の添加とともに促進され得る。アルミン酸塩の濃度が７５ｐｐｍを越え４，０００ｐｐｍまでまたはそれ以上に増大される場合、これらのポリマーの必要性は低減または除かれ得る。本発明によれば、アルミン酸ナトリウムは、アルカリ性度の供給源並びに廃洗濯溶液の処理用の凝析剤の両方として作用し得る。
本発明の目的および利点は、次の詳細な記載および図面に照らして更に認識されよう。
図面の簡単な記載
図１〜５は、種々のアルミナ濃度、ｐＨおよびポリマー濃度下での油分離のグラフ表示である。
詳細な記載
本発明によれば、品物は、アルカリ性洗濯洗剤溶液中で洗濯される。引き続いて、廃洗浄溶液のｐＨは下げられて、エマルジョンの形態にて洗浄溶液内に含有されている油汚れが洗浄溶液から分離される。
洗濯溶液は、アルミン酸アルカリ金属塩、界面活性剤系および任意の再付着防止剤および金属イオン封鎖剤の組合わせである。導入前のこれらの成分の濃度は広範に変動され得、そして主として処方および分配の関数である。本記載において、別段指摘がなければ、百分率はすべて洗浄水中の重量百分率である。同様に、ｐｐｍでの濃度は、別段特記されていなければ、洗浄水に対して言及する。
本発明において用いられる界面活性剤系は、陰イオン性界面活性剤、非イオン性界面活性剤、両性界面活性剤またはこれらの界面活性剤の組合わせを含み得る。
典型的には、用いられる非イオン性剤は、多価成分のアルカリ性酸化物付加物、アルキルアリールエトキシレート、アルコールエトキシレートおよびそれらの混合物を含む。多価成分のアルカリ性酸化物付加物の典型となる有用な非イオン性界面活性剤の中に、名称テトロニック（Ｔｅｔｒｏｎｉｃ）下で商業的に販売されているエチレンジアミンのエチレンオキシド付加物並びに名称プルロニック（Ｐｌｕｒｏｎｉｃ）下で商業的に販売されているプロピレングリコールのエチレンオキシドプロピレンオキシド付加物がある。
アルキルアリールエトキシレートの代表的なものは、例えばアルキルフェノールのポリエチレンオキシド縮合物である。かかる化合物におけるアルキル置換基は、重合プロピレン、ジイソブチレン、オクテンまたはノネンから誘導され得る。このタイプの化合物の例は、ノニルフェノール１モル当たり約２〜約９モルのエチレンオキシドと縮合されたノニルフェノールを含む。このタイプの商業的に入手できる非イオン性界面活性剤は、ユニオン・カーバイド社により販売されているテルギトール（Ｔｅｒｇｉｔｏｌ）ＮＰ−９を含む。
ここにおいて有用なアルコールエトキシレートは、脂肪族アルコールとエチレンオキシドとの縮合生成物を含む。脂肪族アルコールのアルキル鎖は、直鎖または分枝鎖のいずれかであり得そして一般に８〜２２個の炭素原子を含有する。このタイプの商業的に入手できる非イオン性界面活性剤の例は、ユニオン・カーバイド・コーポレーション社により上市されているテルギトール（Ｔｅｒｇｉｔｏｌ）１５−Ｓ−３、１５−Ｓ−５、テルギトール（Ｔｅｒｇｉｔｏｌ）２５−Ｌ−３および２５−Ｌ−５を含む。
一般に、本発明において、非イオン性界面活性剤は、洗浄洗剤溶液の約０．０１重量％ないし約１重量％の濃度にて用いられる。これは、洗浄される品物の特質、その汚れ状態等に依存して広範に変動され得る。
本発明において有用な非イオン性界面活性剤に加えて、陰イオン性界面活性剤もまた用いられ得る。有用な陰イオン性洗剤用化合物の中に、当該基のアルキル部において８〜２２個の炭素原子を含有するアルキルおよびアルキルアリール部のスルホン酸塩および硫酸塩のような、有機硫酸反応生成物の水溶性塩特にアルカリ金属塩がある。商業的に重要なものは、ナトリウムラウリルスルホネートのような線状アルキルスルホネートナトリウム塩並びにナトリウムおよびカリウムアルキルベンゼンスルホネートである。陰イオン性界面活性剤は、洗浄溶液中で０〜約０．５％好ましくは０．００１％ないし０．０２％の範囲の量にて用いられ得る。
両性界面活性剤もまた、ここにおいて用いられ得そして一般にモナ社により販売されているモナテリックス（Ｍｏｎａｔｅｒｉｃｓ）のようなアルキルイミダゾリンを基剤とするものである。他の両性剤は、第４級アンモニウムカルボキシレートおよび第４級アンモニウムサルフェートを含む。両性界面活性剤は、０〜約１％の範囲の量にて用いられ得る。
陽イオン性界面活性剤もまた本発明にて用いられ得るが、しかし一般に効果の劣る清浄剤でありそしてそれ故一般に商業用洗濯洗剤において用いられない。
界面活性剤に加えて、洗濯洗浄溶液は、一般に、硬度イオンについての金属イオン封鎖剤を含む。かかる金属イオン封鎖剤は、ニトリロトリ酢酸の塩、エチレンジアミン四酢酸、粉末形態のゼオライト並びにクエン酸ナトリウムを含む。リン酸塩は典型的には金属イオン封鎖剤として用いられるが、しかしこれらはアルミン酸ナトリウムと反応して不溶性のリン酸アルミニウム化合物を形成し、それ故本発明においては有意的量にて用いられるべきでなくそして好ましくは全然含まれない。金属イオン封鎖剤は、用いられる金属イオン封鎖剤および洗浄水の硬度に依存して、一般に洗浄溶液の０〜０．５％である。
界面活性剤系に加えて、洗浄溶液は、ポリアクリル酸およびポリメチルアクリル酸の水溶性ポリマー並びにカルボキシメチルセルロースのような再付着防止助剤を含み得る。一般に、アクリレートは１，０００〜約１０，０００の分子量を有し、しかして４，５００が好ましい。洗浄溶液中のこれらの濃度は約０．００１〜約０．１％であるべきであり、しかして０．０４％が好ましい。
アルミン酸アルカリ金属塩は、アルミン酸ナトリウム、アルミン酸カリウムおよびアルミン酸リチウムを含めていずれのアルミン酸アルカリ金属塩でもあり得る。好ましくは、アルミン酸塩はアルミン酸ナトリウムまたはアルミン酸カリウムのいずれかであり、しかしてアルミン酸ナトリウムがそのアルカリ性度の一層高いレベルの故好ましい。
系に添加されるアルミン酸塩の量は、洗浄される品物に依存して変動される。アルミン酸塩は、好ましくは、洗浄溶液中の唯一のまたは主要なアルカリ性度の供給源である。アルミナのｐｐｍにて測定されるアルミン酸塩の濃度は、少なくとも約２．５ｐｐｍであるべきである。高アルカリ性洗浄溶液が所望される場合、これは、洗浄水中約２，５００〜４，０００ｐｐｍまでまたはそれ以上に有意に増大され得る。これは、木綿ショップタオルについて特に有用である。一層好ましくは、アルミン酸ナトリウムの濃度は、約２７５ｐｐｍないし１，１００ｐｐｍの範囲にある。存在するアルミン酸塩の量が多ければ多いほど、廃水の精製中洗浄溶液から分離することは一層容易である。約１００ｐｐｍより低い比較的低い濃度においては、凝析性ポリマーが必要とされ得る。それに対して比較的高い濃度特に２５０ｐｐｍより高い濃度においては、このポリマーの必要性は有意に低減される。
アルミン酸ナトリウムは、種々の異なる形態および酸化ナトリウム／酸化アルミニウムのモル比にて購入され得る。一般に、アルカリ金属酸化物対酸化アルミニウムのモル比は、モル基準にて１／１ないし約１０／１の範囲にある。アルミン酸ナトリウムは、固体または液体のいずれかとして洗浄溶液に添加され得る。液状アルミン酸ナトリウムの２つの特定の銘柄が、ヴィニングス・インダストリーズ社により販売されている。第１のものは、アルミン酸ナトリウムの４５％固体分溶液であるＶＳＡ４５である。これは、モル基準で１．２６／１のＮａ2Ｏ−Ａｌ2Ｏ3比（２５．５％Ａｌ2Ｏ3および１９．５％Ｎａ2Ｏである。）を有する。この製品は、比較的低い温度においてやや粘性になる。この製品の粘度は、６０°Ｆにおいて２，０００センチポイズより大きくそして２５°Ｆにおいて１０，０００センチポイズより大きい。それ故、１．５／１のＮａ2Ｏ／Ａｌ2Ｏ3モル比（１８．３％Ｎａ2Ｏおよび１９．９％Ａｌ2Ｏ3である。）を有する３８％固体分溶液であるやはりヴィニングス社により販売されている第２の製品ＶＳＡ３８が好ましい。それは比較的低い温度においてはるかに小さい粘性にとどまり、６０°Ｆにおいて２００ｃｐｓより小さくそして２５°Ｆにおいて９００ｃｐｓより小さい。明らかに、アルミン酸ナトリウムを固体のまま添加するとした場合には、これはあまり重要でない。
一つの好ましい具体的態様において、アルミン酸ナトリウムは、一つの成分として、即ち第２の成分としての洗浄溶液に別個に添加される界面活性剤系についてのアルカリ性ビルダーとして洗浄溶液に添加される。該界面活性剤系は、非イオン性界面活性剤、再付着防止助剤および非リン酸塩金属イオン封鎖剤を含み得る。該アルカリ性ビルダーは、１０〜１００％のアルミン酸ナトリウム溶液（４５％またはそれ以下好ましくは３８％の固体分を有する。）を０〜５％の再付着防止助剤および０〜１０％の金属イオン封鎖剤、および水（アルカリ性ビルダーの総重量を基準として重量による）と共に含有する水溶液である。
界面活性剤系は、界面活性剤、金属イオン封鎖剤および再付着防止助剤の、固体または液体の形態の任意の濃縮された組合わせでもあり得る。処方物の例は、米国特許４，８２６，６１８（その開示は、参照によりここに組み込まれる。）に開示されている。
洗浄条件は個々の洗濯所の装置に依存するが、しかし一般に１２０°Ｆないし約１８０°Ｆの温度にて約１０〜２０分の期間行われる。その後、今や洗濯された品物から集められた泥および油を含むブレーク（ｂｒｅａｋ）と称されるきたない洗浄溶液は、洗濯された品物から分離され、そして懸濁固体を除去することが所望される場合濾過に付される。洗濯物自体は、新鮮な水での反復すすぎに付され、そして所望される場合洗濯サワーで処理される。
廃洗浄溶液またはブレークのｐＨは次いで例えばキャリーオーバー（ｃａｒｒｙｏｖｅｒ）またはすすぎ水からのものであり得る水の添加により９またはそれ以下に調整され、またはその代わりに該ｐＨは硫酸のような酸性溶液を添加することにより調整され得、あるいは希釈およびｐＨ調整の両方がなされ得る。洗浄溶液のｐＨが９より低く低減されるにつれて、アルミン酸イオンＡｌ（ＯＨ）4−またはＡｌＯ2−は可溶性形態から不溶性水和酸化物Ａｌ（ＯＨ）3形態に転化する。この沈殿物が形成するにつれて、洗剤からの界面活性剤および洗濯物から除去された油およびグリースを含むコロイド状粒子は、形成される水和酸化物フロック（“掃引フロック”と呼ばれる。）中に絡ませられる。
アルミン酸ナトリウムの濃度が１００ｐｐｍＡｌ2Ｏ3未満である場合、アルミン酸塩処理で形成された微小フロックを結合するために凝析性ポリマーを添加することが一般に必要である。典型的に用いられる凝析性ポリマー（一般に、高分子電解質である。）は、ポリジアリルジメチルアンモニウムクロライド（ＤＤＡＣ）およびエピクロロヒドリンジメチルアミン（エピアミン）を含む。他の周知の凝析性ポリマーも用いられ得る。一般に、廃水中の汚れおよび油に依存して、２５ｐｐｍないし約１２５ｐｐｍのこのポリマーが添加される。加えて、１〜約１０ｐｐｍ好ましくは７．５〜１０ｐｐｍの、水溶性ポリアクリルアミドのような凝集剤が用いられ得る。他の凝集剤は周知であり、そして特定の凝集剤の選択は重要でない。廃水中のアルミナの濃度が１００ｐｐｍより大きい場合、比較的少ない凝析剤しか必要とされないかまたは全く必要とされない。しかしながら、凝集剤は依然好ましくあり得る。
油および界面活性剤が廃水から分離すると、それはすくい取り（スキミング）または他の周知の技法により集められ、そして廃水は一般に衛生下水管系中に排出される。
本発明の好ましさが劣る具体的態様において、品物が洗濯されそして廃水が洗濯された品物から分離された後、アルミン酸ナトリウムが廃水に添加され得る。このことは、洗濯される品物のための別個のアルカリ性度の供給源を必要としそして更にこのことはアルミン酸ナトリウムがアルカリ性であるのでｐＨを９未満に低減することを比較的困難にする故、好ましさが劣る。このことは、同じ結果をもたらし得るがしかし有意に高いコストので好ましさが劣る。
本発明は、次の詳細な例に照らして更に認識されよう。これらの例において、２つの異なるタイプの工業用品物即ちパンツとして列挙されている６５／３５ポリエステル木綿の工業用カラーパンツおよびショップタオルとして列挙されている１００％木綿の工業用赤色ショップタオルを試験した。これらの試験において、洗剤は、ＮＴＡおよび４，５００ｍｗのＰＡＡを含む商業的に入手できる乳化非イオン性洗剤である。
該洗剤は、次のもの即ち
軟水                                          ２９．７％
ポリアクリル酸（４５００ＭＷ）                  ５．８％
蛍光増白剤                                      ０．１％
水酸化ナトリウム（５０％）                      ４．１％
エマルジョン安定剤                            ２０．０％
ノニルフェノールエトキシレート（６モルＥＯ）  ２３．０％
ノニルフェノールエトキシレート（９モルＥＯ）    ４．０％
ニトリロトリ酢酸三ナトリウム                  １２．０％
線状アルキルベンゼンスルホネート（６０％）      １．３％
を含んでおり、しかして該エマルジョン安定剤は米国特許４，８２６，６１８における開示に従って形成される安定剤である。
ＮａＯＨビルダーは、２５．５％ＮａＯＨ、ＮＴＡおよびＰＡＡである。Ｎａ2Ａｌ2Ｏ4ビルダーは、Ｎａ2Ａｌ2Ｏ4の３８％固体分溶液である。添加された量は、洗浄品物の１００重量当たりである。
0004208963.tif 000002
0004208963.tif 000003
0004208963.tif 000004
0004208963.tif 000005
廃水処理投与量は、下記に列挙されている。これらは、処理および洗濯物のタイプにより同定される。該処理は、水が取り出された洗浄過程における工程即ちブレークまたは複合により同定される。ブレークは、洗剤が添加される洗浄サイクルの操作を表しそして一般に最大濃度の汚れについての工程を表す。複合は、各工程において存在する水の量に等価である比率にて洗浄過程における各工程からの水のサンプリングを表す。処理後の水サンプルが、各処理の相対的成功を決定するために目視的に評価された。水は、フロックの形成（油の破壊または分裂）並びに水の清澄性（濁度）および色について判定された。等級は、次のスケール即ち非常に不良、不良、並、良好、非常に良好、優秀に基づいて与えられた。基本的には、サンプルは、処理された水が未処理の水と異ならないように見えた場合、非常に不良の格付けを得た。サンプルは、処理された水が透明でかつ無色であった（水道水のように見えた）場合、優秀の格付けを得た。他の格付けは、これらの極端の間の結果の変動度合いに基づいて与えられた。結果は、下記に列挙されている。
洗剤およびＮａＯＨビルダー  ショップタオル  ブレーク
ｐＨ調整せず−ｐＨ１１．３
ポリジメチルジアリルアンモニウムクロライド（ＤＤＡＣ）１０００ｐｐｍ：良好な油ブレーク（破壊），非常に不良な清澄性
エピアミン１０００ｐｐｍ：良好な油破壊，非常に不良な清澄性
８０％／２０％（ＤＤＡＣ／エピアミン）１０００ｐｐｍ：並の油破壊，非常に不良な清澄性
洗剤およびＮａＯＨビルダー  ショップタオル  複合
ｐＨ９．３
ＤＤＡＣ６００ｐｐｍおよびポリアクリルアミド１０ｐｐｍ：良好な油破壊，不良な清澄性
８０％／２０％（ＤＤＡＣ／エピアミン）６００ｐｐｍおよびポリアクリルアミド１０ｐｐｍ：優秀な油破壊
ｐＨ８．７
ＤＤＡＣ６００ｐｐｍおよびポリアクリルアミド１０ｐｐｍ：良好な油破壊，不良な清澄性
８０％／２０％（ＤＤＡＣ／エピアミン）６００ｐｐｍおよびポリアクリルアミド１０ｐｐｍ：優秀な油破壊
洗剤およびＮａＯＨビルダー  ショップタオル  複合
ＤＤＡＣ５００ｐｐｍおよびタニン（Ｔａｎｉｎ）１００ｐｐｍおよびポリアクリルアミド１５ｐｐｍ：優秀な清澄性および非常に良好なフロック
エピアミン５００ｐｐｍおよびタニン１００ｐｐｍおよびポリアクリルアミド１０ｐｐｍ：優秀な清澄性および不良なフロック
８０％／２０％（ＤＤＡＣ／エピアミン）７００ｐｐｍおよびポリアクリルアミド１５ｐｐｍ：非常に良好な清澄性，不良なフロック
洗剤およびＮａ2Ａｌ2Ｏ4ビルダー  ショップタオル  複合
ｐＨ調整Ｈ2ＳＯ4（１Ｎ）単独は、優秀なフロックを引き起こす。
ｐＨ７．１
ポリアクリルアミド１０ｐｐｍ：優秀な清澄性，良好なフロック
ｐＨ７．５
ＤＤＡＣ５０ｐｐｍおよびポリアクリルアミド１０ｐｐｍ：優秀な清澄性およびフロック
ｐＨ８．０
ＤＤＡＣ２５ｐｐｍおよびポリアクリルアミド１０ｐｐｍ：優秀な清澄性およびフロック
ｐＨ８．５
ポリアクリルアミド１０ｐｐｍ：良好な清澄性およびフロック
追加ＤＤＡＣ５０ｐｐｍ：同じ
ｐＨ７．１
ＤＤＡＣ２５ｐｐｍおよびポリアクリルアミド２０ｐｐｍ：優秀な清澄性およびフロック水
洗剤およびＮａ2Ａｌ2Ｏ4ビルダー  ショップタオル  複合
ｐＨ８．４
ＤＤＡＣ２５ｐｐｍおよびポリアクリルアミド凝集剤１０ｐｐｍ：優秀なフロックおよび清澄性
洗剤およびＮａ2Ａｌ2Ｏ4ビルダー  パンツ  複合
ｐＨ９．４
ＤＤＡＣ４００ｐｐｍ：ｐＨが＜７．５に低減されるまで並の清澄性およびフロック，低減された際は非常に良好
エピアミン４００ｐｐｍ：ｐＨが＜７．５に低減されるまで並の清澄性およびフロック，低減された際は非常に良好
８０％／２０％（ＤＤＡＣ／エピアミン）４００ｐｐｍ：ｐＨが＜７．５に低減されるまで並の清澄性およびフロック，低減された際は非常に良好
５０％／５０％（ＤＤＡＣ／エピアミン）４００ｐｐｍ：ｐＨが＜７．５に低減されるまで並の清澄性およびフロック，低減された際は非常に良好
洗剤およびＮａ2Ａｌ2Ｏ4ビルダー  パンツ  複合
ｐＨ６．１
ＤＤＡＣ１００ｐｐｍおよびポリアクリルアミド１０ｐｐｍ：優秀な清澄性およびフロック
ｐＨ７．２
ＤＤＡＣ１００ｐｐｍおよびポリアクリルアミド１０ｐｐｍ：優秀な清澄性およびフロック
ｐＨ７．４
ＤＤＡＣ１００ｐｐｍおよびポリアクリルアミド１０ｐｐｍ：優秀な清澄性およびフロック
ｐＨ７．６
ＤＤＡＣ１００ｐｐｍおよびポリアクリルアミド１０ｐｐｍ：優秀な清澄性およびフロック
洗剤およびＮａ2Ａｌ2Ｏ4ビルダー  ショップタオル／パンツ  複合の複合
ｐＨ８．０
４：１のショップ：パンツ
ＤＤＡＣ５０ｐｐｍおよびポリアクリルアミド２０ｐｐｍ：非常に良好な清澄性
１：１のショップ：パンツ
ＤＤＡＣ５０ｐｐｍおよびポリアクリルアミド２０ｐｐｍ：優秀なフロックおよび清澄性
９：１のショップ：パンツ
ＤＤＡＣ５０ｐｐｍおよびポリアクリルアミド２０ｐｐｍ：非常に良好な清澄性
これらの例は、アルミン酸ナトリウムの添加が廃洗濯水の廃水処理を有意に改善することを実証している。これらの例において、アルミン酸ナトリウムは、アルカリ性度の唯一の供給源および油汚れが溶液から分離するのを引き起こす不安定化剤として機能する。更に、これらの例において示されるように、いずれの凝析性ポリマーの添加の必要性も、アルミン酸ナトリウムの濃度が増大するにつれて減少する。
油およびグリースの結果に対するｐＨの影響を決定するために（それはＡｌ2Ｏ3およびポリマーの濃度に関連があるので）、試験を始めた。この試験は、地元の工業的洗濯所から汚れた衣装の選択された洗濯物を持ち込むことを含んでいた。これらの衣装は、例２における洗濯処方を用いて処理された。用いられた洗剤の投与量およびタイプもまた、その例と同じであった。各洗浄工程からの水が、全体の処方において利用された水の量に等価の比率にて集められた（低レベル操作について１部，高レベル操作について２部）。アルカリ性ビルダーの投与量は、集められた複合水サンプルが５０、１００、１５０および２００ｐｐｍに等価のＡｌ2Ｏ3のレベルを有するように変動された。０ｐｐｍＡｌ2Ｏ3サンプルもまた集められ、しかしてこれは例１のＮａＯＨビルダーを利用した。これらの水サンプルの各々のｐＨが、７．０、７．５、８．０、８．５および９．０のｐＨに調整された。次いで、異なるｐＨを有するこれらのサンプルの各々が、エピアミンポリマーの５つの異なるレベル０、５０、１００、１５０および２００ｐｐｍでもって処理された。次いで、生じた水が集められ、そして「アメリカン・パブリック・ヘルス・アソシエーション・スタンダード・メソッズ・パブリケーション（Ａｍｅｒｉｃａｎ  Ｐｕｂｌｉｃ  Ｈｅａｌｔｈ  Ａｓｓｏｃｉａｔｉｏｎ  Ｓｔａｎｄａｒｄ  Ｍｅｔｈｏｄｓ  Ｐｕｂｌｉｃａｔｉｏｎ）の第１７版」の方法５５２０Ｂを用いて油およびグリースについて試験された。
かかる５つのアルミナ投与量試験の各々についての未処理水もまた集められ、そして同じ方法を用いて試験された。元の未処理水についての結果が変動したので、結果はすべて、すべての元の未処理水の結果が２５０ｐｐｍ油／グリースに等しくなるように正規化された。各アルミナ処理についての結果が図１〜５に示されている。結果は、処理される溶液中のＡｌ2Ｏ3のレベルが大きくなればなるほど、特にｐＨが９から７に低減されるにつれて、必要とされるポリマーの要求量は一層少なくなることを指摘している。１００ｐｐｍが今日現在で典型的な流出物の制限であるので、それが目標の許容され得る油およびグリースレベルであった。
試験されたとき、水酸化ナトリウムについての置換物としてのアルミン酸ナトリウムは清浄効力を変化させなかった、ということを留意することが特に重要である。かくして、本発明は、有効な清浄化および廃水からの有効な油およびグリースの分離の両方を奏する。更に、アルミン酸ナトリウムは水酸化ナトリウムよりも有意に高価でなく、かくしてコストの有意な増大はない。
本記載は、無論、本発明を実施する好ましい方法と共になされた本発明の記載である。しかしながら、本発明自体は、我々が請求する添付の請求の範囲によりのみ定められるべきである。
【図１】
0004208963.tif 000006
【図２】
0004208963.tif 000007
【図３】
0004208963.tif 000008
【図４】
0004208963.tif 000009
【図５】
0004208963.tif 000010